(57)【特許請求の範囲】
【請求項１】
測定対象成分を第１方向に対応させると共に当該測定対象成分についてのレベルを当該第１方向と交差する第２方向に対応させて当該各測定対象成分についての測定されたレベルをグラフによって表示する測定結果表示用フレームと、前記グラフの数値読取り用のグリッド表示とを表示部に表示させる表示制御部を備えた測定結果表示装置であって、
前記表示制御部は、複数の前記測定結果表示用フレームを前記第１方向および前記第２方向の双方と交差する第３方向にずらして測定順およびその逆順のいずれかの順に重ねて表示させると共に、いずれかの当該測定結果表示用フレームが指定されたときに、当該指定された測定結果表示用フレームと同じ大きさの前記グリッド表示を当該指定された測定結果表示用フレームに重ねて表示させる測定結果表示装置。
【請求項２】
前記表示制御部は、前記指定された測定結果表示用フレームの前記グラフと、当該指定された測定結果表示用フレームを除く前記測定結果表示用フレームの前記グラフとを区別可能に表示態様を互いに異ならせて表示させる請求項１記載の測定結果表示装置。
【請求項３】
前記表示制御部は、前記各測定結果表示用フレームの前記第３方向におけるそれぞれの位置を維持しつつ、前記指定された測定結果表示用フレームを除く当該測定結果表示用フレームの前記グラフの上に当該指定された測定結果表示用フレームの前記グラフを重ねて表示させる請求項１または２記載の測定結果表示装置。
【請求項４】
前記表示制御部は、複数の前記測定結果表示用フレームが指定されたときに、当該指定された各測定結果表示用フレーム毎に前記グリッド表示をそれぞれ重ねて表示させる請求項１から３のいずれかに記載の測定結果表示装置。
【請求項５】
前記表示制御部は、前記指定された測定結果表示用フレームにおいて前記測定対象成分を指定するためのカーソル表示を当該指定された測定結果表示用フレームに重ねて表示させると共に、前記指定された測定結果表示用フレームの前記グラフにおける前記カーソル表示によって指定された前記測定対象成分についての前記レベルを示す測定値表示を当該指定された測定結果表示用フレームに重ねて表示させる請求項１から４のいずれかに記載の測定結果表示装置。
【請求項６】
前記表示制御部は、前記指定された測定結果表示用フレームに関連付けられた文字情報を当該指定された測定結果表示用フレームに重ねて表示させる請求項１から５のいずれかに記載の測定結果表示装置。
【請求項７】
測定対象成分を第１方向に対応させると共に当該測定対象成分についてのレベルを当該第１方向と交差する第２方向に対応させて当該各測定対象成分についての測定されたレベルをグラフによって表示する測定結果表示用フレームと、前記グラフの数値読取り用のグリッド表示とを表示させる測定結果表示方法であって、
複数の前記測定結果表示用フレームを前記第１方向および前記第２方向の双方と交差する第３方向にずらして測定順およびその逆順のいずれかの順に重ねて表示させると共に、いずれかの当該測定結果表示用フレームが指定されたときに、当該指定された測定結果表示用フレームと同じ大きさの前記グリッド表示を当該指定された測定結果表示用フレームに重ねて表示させる測定結果表示方法。
【発明の詳細な説明】
【技術分野】
【０００１】
本発明は、複数の測定対象成分についての測定されたレベルをグラフによって表示する測定結果表示用フレームを表示させる測定結果表示装置および測定結果表示方法に関するものである。
【背景技術】
【０００２】
この種の測定結果表示方法に従って周波数スペクトルを表示する測定結果表示装置として、周波数スペクトル分析装置（以下、単に「分析装置」ともいう）が特開２００５−２１４７７７号公報に開示されている。この分析装置では、分析対象のアナログ信号をデジタルデータに変換した後に、所定の演算処理によってパワースペクトルを求め、その結果を示すスペクトル波形を表示部に表示させる構成が採用されている。この場合、この分析装置では、一例として、演算処理によって求めたスペクトルにおける周波数を画面左右方向に対応させると共に各周波数についてのレベルを画面上下方向に対応させて各周波数毎のピークパワー（測定されたレベル）をスペクトル波形として表示させる構成が採用されている。
【先行技術文献】
【特許文献】
【０００３】
【特許文献１】特開２００５−２１４７７７号公報（第４−７頁、第３−５図）
【発明の概要】
【発明が解決しようとする課題】
【０００４】
しかしながら、従来の分析装置には、以下の問題点が存在する。すなわち、従来の分析装置では、周波数を画面左右方向に対応させると共に各周波数についてのレベルを画面上下方向に対応させたスペクトル波形を表示させる構成が採用されている。この場合、この種の装置の使用形態として、各周波数についての時間に応じたレベルの変化について分析するとの使用形態がある。このような使用形態に関し、従来の分析装置では、前述した演算処理時に時間窓をずらすことによって各時間毎のスペクトル求めることが可能となっている。しかしながら、従来の分析装置では、各周波数についての時間に応じたレベルの変化について分析しようとしたときに、各時間毎のスペクトル波形を順次切り替えて表示させる必要がある。このため、従来の分析装置では、表示画面の切替え操作が煩雑であるばかりでなく、表示させたスペクトル波形の測定時間に対する前後の時間に対応するスペクトル波形が表示画面に同時に表示されていないことに起因して、レベルの変化量を直感的に把握するのが困難となっている。
【０００５】
このような課題を改善すべく、出願人は、入力信号についての周波数スペクトルを所定時間間隔で測定すると共に、測定した各スペクトルを表すグラフを表示画面内において所定量ずつずらして測定順に重ねて表示させる測定結果表示装置を開発している。具体的には、出願人が開発している測定結果表示装置では、図６に示すように、周波数（この例では、１０ｋＨｚ〜４０ｋＨｚ）を画面左右方向（矢印Ａ１の方向）に対応させると共に周波数についてのレベル（この例では、−１３０ｄＢ〜−３０ｄＢ）を画面上下方向（矢印Ａ２の方向）に対応させて各周波数についての測定されたレベルをグラフによって表示するスペクトル表示用フレーム１１ａ〜１１ｈ（以下、単に「フレーム１１ａ〜１１ｈ」ともいう）を、矢印Ａ１，Ａ２と交差する左下がりの斜め方向（矢印Ａ３の方向）にずらして測定順に重ねて表示させる測定結果表示用画面１０ｘを表示可能に構成されている。この出願人が開発している測定結果表示装置によれば、煩雑な切替え操作を行うことなく、測定順に並んで表示されたフレーム１１ａ〜１１ｈ（以下、区別しないときには「フレーム１１」ともいう）内の各グラフＧａ〜Ｇｈを参照することができる。
【０００６】
この場合、出願人が開発している測定結果表示装置における測定結果表示用画面１０ｘにおいて、最も手前のフレーム１１ａでは、周波数やレベルとフレーム１１ａ内の各座標との関係を示すグリッド表示１２や文字情報（この例では、「１０ｋＨｚ」、「２０ｋＨｚ」、「３０ｋＨｚ」、「４０ｋＨＺ」、「−１３０ｄＢ」および「−３０ｄＢ」との文字情報）が存在するため、このフレーム１１ａのグラフＧａを参照する際には、どの周波数がどのレベルであるかを直感的に認識することが可能となっている。しかしながら、フレーム１１ｂ〜１１ｈでは、グリッド表示１２や文字情報が存在しないだけでなく、手前のフレーム１１に対して右上にずれて表示されているため、不慣れな利用者にとっては、グラフＧｂ〜Ｇｈを参照する際に、どの周波数がどのレベルであるかを直感的に認識するのが困難となっている。このため、この点を改善するのが好ましい。
【０００７】
一方、出願人は、フレーム１１ａ〜１１ｈのうちの任意の１つを指定することにより、このフレーム１１ａ〜１１ｈとは別個に、指定したフレーム１１のグラフＧをグリッド表示と共に表示画面内の別の表示部位に表示させる構成の測定結果表示装置を開発した（図示せず）。この測定結果表示装置によれば、上記したように、どの周波数がどのレベルであるかを直感的に認識するのが困難なフレーム１１ｂ〜１１ｈ（グラフＧｂ〜Ｇｈ）についても、所望のフレーム１１を指定するだけで、そのフレーム１１のグラフＧを容易に読み取ることが可能となる。しかしながら、このような構成を採用したとしても、測定時間毎のレベルの変化量を把握するには、依然として、測定順に重なって表示されているフレーム１１ａ〜１１ｈ（グラフＧａ〜Ｇｈ）を参照する必要があるため、測定順に重なって表示されているフレーム１１ａ〜１１ｈのグラフＧａ〜Ｇｈと、これらとは別個に表示されているグラフとを交互に参照する際に視線を移動させる必要が生じる。このため、不慣れな利用者にとっては、周波数やレベルの読み取りが依然として困難となっている。
【０００８】
本発明は、かかる改善すべき課題に鑑みてなされたものであり、各測定結果表示用フレームのグラフによって示されたレベルを確実かつ容易に読み取り可能に表示し得る測定結果表示装置および測定結果表示方法を提供することを主目的とする。
【課題を解決するための手段】
【０００９】
上記目的を達成すべく、請求項１記載の測定結果表示装置は、測定対象成分を第１方向に対応させると共に当該測定対象成分についてのレベルを当該第１方向と交差する第２方向に対応させて当該各測定対象成分についての測定されたレベルをグラフによって表示する測定結果表示用フレームと、前記グラフの数値読取り用のグリッド表示とを表示部に表示させる表示制御部を備えた測定結果表示装置であって、前記表示制御部が、複数の前記測定結果表示用フレームを前記第１方向および前記第２方向の双方と交差する第３方向にずらして測定順およびその逆順のいずれかの順に重ねて表示させると共に、いずれかの当該測定結果表示用フレームが指定されたときに、当該指定された測定結果表示用フレームと同じ大きさの前記グリッド表示を当該指定された測定結果表示用フレームに重ねて表示させる。
【００１０】
請求項２記載の測定結果表示装置は、請求項１記載の測定結果表示装置において、前記表示制御部が、前記指定された測定結果表示用フレームの前記グラフと、当該指定された測定結果表示用フレームを除く前記測定結果表示用フレームの前記グラフとを区別可能に表示態様を互いに異ならせて表示させる。
【００１１】
請求項３記載の測定結果表示装置は、請求項１または２記載の測定結果表示装置において、前記表示制御部が、前記各測定結果表示用フレームの前記第３方向におけるそれぞれの位置を維持しつつ、前記指定された測定結果表示用フレームを除く当該測定結果表示用フレームの前記グラフの上に当該指定された測定結果表示用フレームの前記グラフを重ねて表示させる。
【００１２】
請求項４記載の測定結果表示装置は、請求項１から３のいずれかに記載の測定結果表示装置において、前記表示制御部が、複数の前記測定結果表示用フレームが指定されたときに、当該指定された各測定結果表示用フレーム毎に前記グリッド表示をそれぞれ重ねて表示させる。
【００１３】
請求項５記載の測定結果表示装置は、請求項１から４のいずれかに記載の測定結果表示装置において、前記表示制御部が、前記指定された測定結果表示用フレームにおいて前記測定対象成分を指定するためのカーソル表示を当該指定された測定結果表示用フレームに重ねて表示させると共に、前記指定された測定結果表示用フレームの前記グラフにおける前記カーソル表示によって指定された前記測定対象成分についての前記レベルを示す測定値表示を当該指定された測定結果表示用フレームに重ねて表示させる。
【００１４】
請求項６記載の測定結果表示装置は、請求項１から５のいずれかに記載の測定結果表示装置において、前記表示制御部が、前記指定された測定結果表示用フレームに関連付けられた文字情報を当該指定された測定結果表示用フレームに重ねて表示させる。
【００１５】
請求項７記載の測定結果表示方法は、測定対象成分を第１方向に対応させると共に当該測定対象成分についてのレベルを当該第１方向と交差する第２方向に対応させて当該各測定対象成分についての測定されたレベルをグラフによって表示する測定結果表示用フレームと、前記グラフの数値読取り用のグリッド表示とを表示させる測定結果表示方法であって、複数の前記測定結果表示用フレームを前記第１方向および前記第２方向の双方と交差する第３方向にずらして測定順およびその逆順のいずれかの順に重ねて表示させると共に、いずれかの当該測定結果表示用フレームが指定されたときに、当該指定された測定結果表示用フレームと同じ大きさの前記グリッド表示を当該指定された測定結果表示用フレームに重ねて表示させる。
【発明の効果】
【００１６】
請求項１記載の測定結果表示装置、および請求項７記載の測定結果表示方法によれば、測定対象成分を第１方向に対応させると共に測定対象成分についてのレベルを第１方向と交差する第２方向に対応させて各測定対象成分の測定されたレベルをグラフによって表示する複数の測定結果表示用フレームを第３方向にずらして測定順およびその逆順のいずれかの順に重ねて表示させると共に、いずれかの測定結果表示用フレームが指定されたときに、指定された測定結果表示用フレームと同じ大きさのグリッド表示を指定された測定結果表示用フレームに重ねて表示させることにより、測定順に重ねて表示させた各測定結果表示用フレームとは別個に、指定した測定結果表示用フレームのグラフをグリッド表示と共に表示画面内の別の表示部位に表示させる構成および方法とは異なり、測定順に重ねて表示させた各測定結果表示用フレームから視線を大きく移動させることなく、指定した測定結果表示用フレームに重なって表示されるグリッド表示に基づいて、指定した測定結果表示用フレームのグラフを読み取ることができるため、不慣れな利用者であっても、グラフによって示されたレベルを確実かつ容易に読み取ることができる。
【００１７】
また、請求項２記載の測定結果表示装置によれば、指定された測定結果表示用フレームのグラフと、指定された測定結果表示用フレームを除く測定結果表示用フレームのグラフとを区別可能に表示態様を互いに異ならせて表示させることにより、指定した測定結果表示用フレームのグラフの特定が容易となる分だけ、そのグラフによって示されたレベルを一層確実かつ容易に読み取ることができる。
【００１８】
さらに、請求項３記載の測定結果表示装置によれば、各測定結果表示用フレームの第３方向における位置を維持しつつ、指定された測定結果表示用フレームを除く測定結果表示用フレームのグラフの上に指定された測定結果表示用フレームのグラフを重ねて表示させることにより、指定した測定結果表示用フレームのグラフの特定が一層容易となる分だけ、そのグラフによって示されたレベルをさらに確実かつ容易に読み取ることができる。
【００１９】
また、請求項４記載の測定結果表示装置によれば、複数の測定結果表示用フレームが指定されたときに、指定された各測定結果表示用フレーム毎にグリッド表示をそれぞれ重ねて表示させることにより、指定した各測定結果表示用フレームに重なってそれぞれ表示されるグリッド表示に基づいて、指定した各測定結果表示用フレームの各グラフを読み取ることができるため、不慣れな利用者であっても、各グラフによって示されたレベルを確実かつ容易に読み取ることができる。
【００２０】
さらに、請求項５記載の測定結果表示装置によれば、指定された測定結果表示用フレームにおいて測定対象成分を指定するためのカーソル表示を指定された測定結果表示用フレームに重ねて表示させると共に、指定された測定結果表示用フレームのグラフにおけるカーソル表示によって指定された測定対象成分についてのレベルを示す測定値表示を指定された測定結果表示用フレームに重ねて表示させることにより、測定値表示を読み取るだけで、指定した測定結果表示用フレームのグラフにおける所望の周波数についてのレベルを確実かつ容易に特定することができる。
【００２１】
さらに、請求項６記載の測定結果表示装置によれば、指定された測定結果表示用フレームに関連付けられた文字情報を指定された測定結果表示用フレームに重ねて表示させることにより、例えば、指定した測定結果表示用フレームに関連付けられた文字情報をその測定結果表示用フレームの位置と別の表示部位に表示させるのと比較して、表示された文字情報が、いずれの測定結果表示用フレームに関するコメントであるかを確実かつ容易に特定することができる。
【図面の簡単な説明】
【００２２】
【図１】測定結果表示装置１のブロック図である。
【図２】測定結果表示用画面１０の表示画面図である。
【図３】測定結果表示用画面１０の他の表示画面図である。
【図４】測定結果表示用画面１０のさらに他の表示画面図である。
【図５】測定結果表示用画面１０のさらに他の表示画面図である。
【図６】測定結果表示用画面１０ｘの表示画面図である。
【発明を実施するための形態】
【００２３】
以下、添付図面を参照して、測定結果表示装置および測定結果表示方法の実施の形態について説明する。
【００２４】
図１に示す測定結果表示装置１は、入力信号Ｓｉについての周波数スペクトルを測定して表示するスペクトルアナライザであって、測定部２、メモリ３、操作部４、表示部５および制御部６を備えて構成されている。測定部２は、入力信号Ｓｉを増幅するアンプや、アンプによって増幅された信号をデジタル変換するＡ／Ｄコンバータ等（図示せず）を備え、制御部６の制御に従って入力信号Ｓｉを所定時間間隔でサンプリングすることによって測定データＤ１を生成して出力する。メモリ３は、上記の測定データＤ１や、制御部６の演算結果（後述する測定データＤ２等）を記憶する。この場合、メモリ３には、一例として、測定部２から順次出力される測定データＤ１を先入れ先出し法で記憶するリングバッファ形式の複数の記憶領域が規定されている。
【００２５】
操作部４は、測定結果表示装置１の動作条件を設定するための各種の操作スイッチや、後述するようにして、図２に示す複数のスペクトル表示用フレーム１１ａ〜１１ｈ（「測定結果表示用フレーム」の一例：以下、単に「フレーム１１ａ〜１１ｈ」ともいう。また、これらを区別しないときには「フレーム１１」ともいう）のうちから任意のフレーム１１を指定したり、スケール表示１３およびカーソル表示１４（図２参照）を移動させたりするための操作スイッチを備え、スイッチ操作に応じた操作信号Ｓ１を制御部６に出力する。表示部５は、カラー液晶表示パネルを備えて構成され、制御部６の制御に従って、図２に示す測定結果表示用画面１０などを表示する。
【００２６】
制御部６は、一例として、ＦＰＧＡ（Field Programmable Gate Array ）およびＣＰＵを備えて構成され、測定部２から出力された測定データＤ１をメモリ３に順次記憶させると共に、記憶させた測定データＤ１に対する所定の演算処理（一例として、高速フーリエ変換等）を実行することにより、入力信号Ｓｉについての所定時間毎の周波数スペクトルを演算して測定データＤ２を生成する。また、制御部６は、上記の測定データＤ２に基づいて測定結果表示用画面１０（図２参照）などを表示部５に表示させる。
【００２７】
この場合、測定結果表示用画面１０は、制御部６によって演算された周波数スペクトルを測定順に表示するための表示画面であって、図２に示すように、出願人が開発している測定結果表示装置における測定結果表示用画面１０ｘと同様にして、複数のフレーム１１が所定量ずつずれながら重なって表示されている。なお、同図では、測定結果表示用画面１０の画面構成についての理解を容易とするために、フレーム１１ａ〜１１ｈの８フレームだけを図示しているが、この測定結果表示装置１では、利用者の目的に応じてさらに多数のフレーム１１（一例として、１０〜２００フレーム）を測定結果表示用画面１０内に表示させることが可能となっている。
【００２８】
この測定結果表示装置１では、周波数（「測定対象成分」の一例：この例では、１０ｋＨｚ〜４０ｋＨｚ）を画面左右方向（矢印Ａ１の方向：「第１方向」の一例）に対応させると共に、レベル（大きさ：「ｄＢ」）を画面上下方向（矢印Ａ２の方向：「第１方向と交差する第２方向」の一例）に対応させて、各周波数についての「測定されたレベル（周波数スペクトル）」をグラフＧａ〜Ｇｈ（以下、区別しないときには「グラフＧ」ともいう）によって測定結果表示用画面１０内に表示させる構成が採用されている。また、この測定結果表示装置１では、各フレーム１１を左下がり方向（矢印Ａ３の方向：「第３方向」の一例）にずらして測定順に重ねて（一例として、最新の測定結果に近い測定結果のフレーム１１ほど左下に位置するように、右上から左下に向かう向きで重ねて）三次元的に表示させるように測定結果表示用画面１０を表示させる構成が採用されている。なお、最新の測定結果に近い測定結果のフレーム１１ほど右上に位置するように、左下から右上に向かう向きで測定順の逆順で重ねて各フレーム１１を表示させる構成を採用することもできる。
【００２９】
さらに、この測定結果表示装置１では、各フレーム１１のうちの指定されたフレーム１１のグラフＧ（図２に示す測定結果表示用画面１０では、最も手前のフレーム１１ａのグラフＧａ）の数値読取り用のグリッド表示１２が指定されたフレーム１１に重なって表示されている。この場合、グリッド表示１２は、グラフＧを表示するためのフレーム１１と同種の形状で、かつ、その大きさもフレーム１１と同じ大きさとなっている。したがって、例えばフレーム１１ａが指定されたときには、指定されたフレーム１１ａの外縁とグリッド表示１２の外縁とが重なり合うようにフレーム１１ａに重なってグリッド表示１２が表示される。この場合、この測定結果表示装置１では、後述するようにして、他のフレーム１１が指定されたときに、グリッド表示１２が新たに指定されたフレーム１１に重なるように移動して表示される構成が採用されている。
【００３０】
また、この測定結果表示装置１では、周波数やレベルとフレーム１１内の各座標との関係を示す文字情報（この例では、「１０ｋＨｚ」、「２０ｋＨｚ」、「３０ｋＨｚ」、「４０ｋＨＺ」、「−１３０ｄＢ」および「−３０ｄＢ」との文字情報）がグリッド表示１２に対応付けられて、上記の指定されたフレーム１１の周囲に表示される構成が採用されている。さらに、この測定結果表示装置１では、上記の「指定されたフレーム１１」において所望の周波数を指定するためのスケール表示１３およびカーソル表示１４を、そのフレーム１１に重ねて表示させる構成が採用されている。
【００３１】
この場合、この測定結果表示装置１では、上記の「指定されたフレーム１１」においてスケール表示１３を画面左右方向（第１方向）に移動させることによって所望の周波数（「測定対象成分」の一例）を指定することが可能となっている。また、この測定結果表示装置１では、カーソル表示１４が、スケール表示１３の移動に伴って、指定されたフレーム１１に表示されているグラフＧとスケール表示１３との交差位置に移動して表示される構成が採用されている。さらに、この測定結果表示装置１では、上記の「指定されたフレーム１１」におけるカーソル表示１４の座標に対応する周波数およびレベル（指定されたフレーム１１においてスケール表示１３によって指定された周波数、および指定されたフレーム１１のグラフＧにおいてカーソル表示１４によって指定されたレベル）を示す測定値表示１５（図３参照）が「指定されたフレーム１１」に重なって表示される構成が採用されている。
【００３２】
この測定結果表示装置１の使用に際しては、まず、操作部４を操作して測定結果表示装置１の動作条件（測定条件）を設定する。具体的には、一例として、入力信号Ｓｉについての１０ｋＨｚ〜４０ｋＨｚの範囲内の各周波数のスペクトルを測定して、その測定結果（この例では、−１３０ｄＢ〜−３０ｄＢの範囲内のうちのいずれのレベルであるか）を各フレーム１１にグラフＧによって表示させるように設定する。この際には、一例として、各フレーム１１の描画間隔（「第３方向」に対応する各フレーム１１の測定時間間隔）を１秒（１ｓ）に設定する。次いで、操作部４の開始スイッチを操作することにより、制御部６による周波数スペクトルの表示処理（測定結果表示用画面１０の表示処理）が開始される。
【００３３】
具体的には、操作部４から処理開始を指示する操作信号Ｓ１が出力されたときに、制御部６は、測定部２を制御して測定処理を開始させる。これに応じて、測定部２は、入力信号Ｓｉをデジタル変換すると共に、変換したデジタル信号について１秒間隔でサンプリングして測定データＤ１を生成し、生成した測定データＤ１を制御部６に出力する。また、制御部６は、測定部２から出力された測定データＤ１をメモリ３に順次記憶させる。さらに、制御部６は、上記の測定データＤ１のメモリ３への記憶処理と並行して、測定データＤ１に基づく周波数スペクトルの演算処理を実行する。具体的には、制御部６は、メモリ３に記憶させた測定データＤ１を読み出して所定の演算処理（高速フーリエ変換等）を実行することにより、その測定データＤ１に基づく周波数スペクトルを演算して測定データＤ２を生成し、生成した測定データＤ２をメモリ３に記憶させる。なお、測定部２によってデジタル変換された測定データＤ１に基づく周波数スペクトルの演算方法は公知のため、その詳細な説明を省略する。
【００３４】
また、制御部６は、上記の一連の処理と並行して、演算結果（測定結果：測定対象の入力信号Ｓｉについての周波数スペクトル）を表示させるための表示用データを生成して表示部５出力することによって測定結果表示用画面１０を表示部５に表示させる。具体的には、制御部６は、まず、最初の測定データＤ２に基づく周波数スペクトルをフレーム１１ａにグラフＧａとして表示させるための表示用データを生成して表示部５に出力する。この場合、最初の測定データＤ２に基づいて生成された表示用データが表示部５に出力された時点においては、フレーム１１ａ（グラフＧａ）だけが測定結果表示用画面１０内に表示されて、グリッド表示１２がこのフレーム１１ａに重なって表示されると共に、フレーム１１ｂ〜１１ｃは非表示の状態となっている（図示せず）。
【００３５】
また、制御部６は、２番目の測定データＤ２（最初の測定データＤ２の１秒後に生成された測定データＤ２）に基づく周波数スペクトルを表示させる際には、フレーム１１ａに表示させていた最初の測定データＤ２に基づくグラフＧａをグラフＧｂとしてフレーム１１ｂに表示させると共に、２番目の測定データＤ２に基づく周波数スペクトルをフレーム１１ａにグラフＧａとして表示させる。これにより、フレーム１１ａ，１１ｂ（グラフＧａ，Ｇｂ）の２つが測定結果表示用画面１０内に表示される（図示せず）。さらに、制御部６は、３番目の測定データＤ２に基づく周波数スペクトルを表示させる際には、フレーム１１ｂに表示させていた最初の測定データＤ２に基づくグラフＧｂをグラフＧｃとしてフレーム１１ｃに表示させ、かつ、フレーム１１ａに表示させていた２番目の測定データＤ２に基づくグラフＧａをグラフＧｂとしてフレーム１１ｂに表示させると共に、３番目の測定データＤ２に基づく周波数スペクトルをフレーム１１ａにグラフＧａとして表示させる。これにより、フレーム１１ａ〜１１ｃ（グラフＧａ〜Ｇｃ）の３つが測定結果表示用画面１０内に表示される（図示せず）。
【００３６】
この場合、この測定結果表示装置１では、一連の測定処理と並行して実行する測定結果表示用画面１０の表示処理においては、一例として、最も手前のフレーム１１ａにグリッド表示１２を重ねて表示させた状態を維持する構成が採用されている（測定処理と並行して実行される表示処理において最も手前のフレーム１１ａを「指定された測定結果表示用フレーム」とする構成の例）。また、この測定結果表示装置１では、グリッド表示１２を重ねて表示させるフレーム１１（指定された測定結果表示用フレーム）のグラフＧ（この例では、フレーム１１ａのグラフＧａ）を、その他のフレーム１１のグラフＧと区別可能に表示させる構成が採用されている。具体的には、一例として、グリッド表示１２を重ねて表示させているフレーム１１ａのグラフＧａの表示色を青色とし、他のフレーム１１のグラフＧの表示色を赤色とする（「グラフの表示色（線色）」の相違によって表示態様を異ならせる構成の例）。なお、図２〜３では、上記の各グラフＧの表示色の相違を線の太さの相違で表している。
【００３７】
この場合、この測定結果表示装置１では、背景色が黒色で、グリッド表示１２の表示色が黄色で、各種の文字情報の表示色が白色となっている。したがって、グラフＧａとグラフＧｂ〜Ｇｈとを確実かつ容易に区別することが可能であるだけでなく、グリッド表示１２や各種文字情報が表示されている状態においても、グラフＧａ〜Ｇｈを確実かつ容易に識別することが可能となっている。これにより、フレーム１１ａに重ねて表示されているグリッド表示１２と相俟って、最新の測定データＤ２に基づくグラフＧａを確実かつ容易に読み取ることが可能となっている。この場合、上記のように表示色の相違によって表示態様を異ならせる構成に代えて、グラフＧａを他のグラフＧよりも太い線で描画したり（「線の太さ」の相違によって表示態様を異ならせる構成の例）、グラフＧａの線種と他のグラフＧの線種とを相違させて描画したり（「線種」の相違によって表示態様を異ならせる構成の例）、グラフＧａだけを点滅表示させたりして（「点滅表示」の有無によって表示態様を異ならせる構成の例）、指定されたフレーム１１ａのグラフＧａを強調表示する構成を採用することもできる。
【００３８】
このように、この測定結果表示装置１では、制御部６によって新たな測定データＤ２が生成されてこの測定データＤ２に基づくグラフＧを表示させる度に、それ以前に各フレーム１１に表示させていたグラフＧを１つ右上に位置するフレーム１１に移動させて表示させると共に、最新の測定データＤ２に基づく周波数スペクトルを最も手前のフレーム１１ａ内にグラフＧａとして表示させる構成が採用されている。また、この測定結果表示装置１では、上記したように、一連の測定処理と並行して実行する表示処理において、最も手前のフレーム１１ａにグリッド表示１２を重ねて表示させた状態を維持する構成が採用されている。したがって、この測定結果表示装置１では、フレーム１１ａに表示された最新のグラフＧを、グリッド表示１２およびグリッド表示１２に対応付けて表示される文字情報に基づいて確実かつ容易に読み取ることが可能となっている。
【００３９】
この場合、この例では、測定結果表示用画面１０内にフレーム１１ａ〜１１ｈの８フレームだけが存在するため、最初の測定データＤ２に基づく周波数スペクトルがグラフＧａとしてフレーム１１ａに表示された時点から７秒が経過した時点において、図２に示すように、最初の測定データＤ２に基づく周波数スペクトルがフレーム１１ｈにグラフＧｈとして表示され、フレーム１１ａには、８番目の測定データＤ２に基づくグラフＧａが表示された状態となる。つまり、この測定結果表示装置１では、一連の測定処理と並行して測定結果をリアルタイムで表示させる際に、最新の８秒分の周波数スペクトルだけが測定結果表示用画面１０内に表示されることとなる。また、同図に示す例では、一例として、スケール表示１３が１３．１ｋＨｚの位置に表示されている（スケール表示１３によって「１３．１ｋＨｚ」が指定されている）。したがって、スケール表示１３によって指定された周波数（この例では、「１３．１ｋＨｚ」）と、フレーム１１ａのグラフＧａにおいてカーソル表示１４によって指定されたレベル（この例では、「１１８．４ｄＢ」）を示す測定値表示１５がフレーム１１ａに重なって測定結果表示用画面１０内に表示される。
【００４０】
また、最初の測定データＤ２に基づく周波数スペクトルがグラフＧａとしてフレーム１１ａに表示された時点から８秒が経過した時点においては、最初の測定データＤ２に基づく周波数スペクトルが非表示となって、フレーム１１ｈには、２番目の測定データＤ２に基づくグラフＧｈが表示され、フレーム１１ａには、９番目の測定データＤ２に基づくグラフＧａが表示された状態となる。この後、制御部６は、設定された測定条件に従って一連の測定処理を実行し、測定処理の終了条件が満たされたときに（例えば、終了時刻が到来したときに）、測定処理を終了する。これにより、メモリ３内には、一連の測定処理によって生成された多数の測定データＤ２が記憶された状態となる。
【００４１】
一方、この測定結果表示装置１では、測定処理が完了した後に、メモリ３内に記憶されている各測定データＤ２に基づいて測定結果表示用画面１０を表示部５に表示させることが可能に構成されている。具体的には、操作部４の操作スイッチを操作して、フレーム１１ａ〜１１ｈ（グラフＧａ〜Ｇｈ）を表示させるべき測定データＤ２を指定して、測定結果表示用画面１０を表示部５に表示させる。この際には、図２に示すように、一例として、上記の測定処理の開始時点から８秒の間に生成された８つの測定データＤ２に基づくフレーム１１ａ〜１１ｈ（グラフＧａ〜Ｇｈ）が測定結果表示用画面１０内に表示される。
【００４２】
この場合、この測定結果表示装置１では、メモリ３内の測定データＤ２に基づく測定結果表示用画面１０を表示部５に表示させた時点においては、一例として、最も手前のフレーム１１ａにグリッド表示１２を重ねてフレーム１１ａのグラフＧａの数値読取り専用に表示させた状態を維持する構成が採用されている（測定結果表示用画面１０を表示させた時点において最も手前のフレーム１１ａを「指定された測定結果表示用フレーム」とする構成の例）。また、この測定結果表示装置１では、前述したように、グリッド表示１２を重ねて表示させるフレーム１１（指定された測定結果表示用フレーム）のグラフＧ（この例では、フレーム１１ａのグラフＧａ）を、その他のフレーム１１のグラフＧと区別して（表示色を相違させて）表示させる構成が採用されている。これにより、フレーム１１ａに重ねて表示されているグリッド表示１２と相俟ってグラフＧａ（この例では、測定処理の開始時点から８秒後に生成された測定データＤ２に基づく周波数スペクトル）を確実かつ容易に読み取ることが可能となっている。
【００４３】
この際に、測定結果表示用画面１０内に表示された各フレーム１１のなかに、詳細に分析すべきグラフＧが表示されたフレーム１１が存在するとき（例えば、異常値が測定されたと考えられるグラフＧが表示されたフレーム１１が存在するとき）には、操作部４を操作して、そのフレーム１１を指定する。具体的には、一例として、測定処理の開始時点から３秒後に生成された測定データＤ２に基づくグラフＧｆが表示されているフレーム１１ｆを指定する（「いずれかの測定結果表示用フレームが指定されたとき」の一例）。この際に、制御部６は、最も手前のフレーム１１ａに重ねて表示させていたグリッド表示１２を、図３に示すように、指定されたフレーム１１ｆの表示位置まで移動させて、フレーム１１ｆのグラフＧｆの数値読取り専用にフレーム１１ｆにグリッド表示１２を重ねて表示させる。
【００４４】
また、制御部６は、グリッド表示１２の移動に伴って、周波数やレベルとフレーム１１内の各座標との関係を示す文字情報（この例では、「１０ｋＨｚ」、「２０ｋＨｚ」、「３０ｋＨｚ」、「４０ｋＨＺ」、「−１３０ｄＢ」および「−３０ｄＢ」との文字情報）をフレーム１１ｆに重ねて表示させたグリッド表示１２の表示位置に移動させて表示させる。これにより、グリッド表示１２がフレーム１１ａに重なって表示された状態（図２参照）と比較して、指定したフレーム１１ｆに重なって表示されたグリッド表示１２、およびグリッド表示１２に対応付けて表示される文字情報に基づいてグラフＧｆを確実かつ容易に読み取ることが可能となる。
【００４５】
さらに、制御部６は、指定されたフレーム１１ｆを除くフレーム１１ａ〜１１ｅ，１１ｇ，１１ｈのグラフＧａ〜Ｇｅ，Ｇｇ，Ｇｈを同じ赤色で表示させると共に、指定されたフレーム１１ｆのグラフＧｆを青色で表示させる（表示色（線色）の相違によって表示態様を異ならせて、指定された測定結果表示用フレームのグラフと、指定された測定結果表示用フレームを除く測定結果表示用フレームのグラフとを区別して表示させる構成の例）。この際に、制御部６は、各フレーム１１の矢印Ａ３の方向における位置を維持しつつ（各フレーム１１の矢印Ａ３の方向における位置を、フレーム１１ｆが指定される前の位置から変更することなく）、指定されたフレーム１１ｆを除くフレーム１１ａ〜１１ｅ，１１ｇ，１１ｈのグラフＧａ〜Ｇｅ，Ｇｇ，Ｇｈの上に、指定されたフレーム１１ｆのグラフＧｆを重ねて表示させる。これにより、指定されたフレーム１１ｆのグラフＧｆがそれ以外のフレーム１１ａ〜１１ｅ，１１ｇ，１１ｈのグラフＧａ〜Ｇｅ，Ｇｇ，Ｇｈによって隠されずに最も見易く表示される。
【００４６】
また、この測定結果表示装置１では、前述したように、グリッド表示１２が重なって表示されるフレーム１１、すなわち、指定されたフレーム１１に、スケール表示１３およびカーソル表示１４が重なって表示される構成が採用されている。このため、グリッド表示１２がフレーム１１ｆに重なって表示された状態においては、スケール表示１３およびカーソル表示１４もフレーム１１ｆに重なって表示される。したがって、操作部４を操作して、フレーム１１ｆのグラフＧｆにおいてレベルを参照すべき周波数の位置（一例として、２８．２ｋＨｚ）にスケール表示１３を移動させることにより、スケール表示１３によって指定された周波数と、グラフＧｆにおいてカーソル表示１４が重なって表示されている部位のレベル（この例では、「−９４．８ｄＢ」）を示す測定値表示１５がフレーム１１ｆに重なって表示される。
【００４７】
さらに、この測定結果表示装置１では、任意のコメントを、指定したフレーム１１に関連付けて表示させることが可能に構成されている。具体的には、例えばフレーム１１ｆを指定した状態において、操作部４を操作して、フレーム１１ｆに関連付けるコメント入力する。これにより、図３に示すように、一例として「異常値あり。」とのコメント表示１６（「文字情報」の一例）がフレーム１１ｆに重なって表示される。この場合、この測定結果表示装置１では、フレーム１１ｆ以外のフレーム１１が指定されたときに、フレーム１１ｆに関連付けて入力されたコメント表示１６が非表示となり、フレーム１１ｆが再び指定されたときには、「異常値あり。」とのコメント表示１６がフレーム１１ｆに重なって再び表示される構成が採用されている。なお、このコメント表示１６の文字データは、測定データＤ２等と共にメモリ３に記憶される。
【００４８】
また、この測定結果表示装置１では、指定したフレーム１１ｆのグラフＧｆを一層読み取り易くするために、操作部４を操作することにより、図４に示すように、一例として、グリッド表示１２全域を予め設定された表示色で塗り潰し表示すると共に、塗り潰し表示したグリッド表示１２の上にグラフＧｆを重ねて表示させることが可能となっている。なお、同図では、上記の「塗り潰した領域」を右下がりの斜線で塗り潰して図示している。この場合、グリッド表示１２を塗り潰す表示色については、同図に示すように、指定したフレーム１１が重なっているフレーム１１のグラフＧ（この例では、フレーム１１ｇ，１１ｈのグラフＧｇ，Ｇｈ）を視認可能に透過表示色を採用することもできるし、指定したフレーム１１のグラフＧ（この例では、グラフＧｆ）の視認性を一層向上させるために、非透過表示色を採用することもできる。
【００４９】
さらに、この測定結果表示装置１では、図４に示すように、指定されたフレーム１１を区別可能に、指定されたフレーム１１を除くフレーム１１のグラフＧ（この例では、グラフＧａ〜Ｇｅ，Ｇｇ，Ｇｈ）を破線で表示させることにより、指定されたフレーム１１のグラフＧ（この例では、グラフＧｆ）の視認性を一層向上させる構成が採用されている（線種の相違によって表示態様を異ならせて、指定された測定結果表示用フレームのグラフと、指定された測定結果表示用フレームを除く測定結果表示用フレームのグラフとを区別して表示させる構成の例）。
【００５０】
なお、同図では、グリッド表示１２の全域を塗り潰し表示すると共にグラフＧａ〜Ｇｅ，Ｇｇ，Ｇｈを破線で表示させているが、グラフＧａ〜Ｇｅ，Ｇｇ，Ｇｈを実線で表示させたままグリッド表示１２の全域を塗り潰し表示する構成や、グリッド表示１２を塗り潰し表示させることなく、グラフＧａ〜Ｇｅ，Ｇｇ，Ｇｈを破線で表示させる構成を採用することもできる。この場合、指定されたフレーム１１を除くフレーム１１のグラフＧを破線で表示させる構成に代えて、指定されたフレーム１１を区別可能に、これらのグラフＧを通常表示状態よりも細い線で表示させたり（線幅（線の太さ）の相違によって表示態様を異ならせる構成の例）、通常の表示色よりも薄い表示色で表示させたりする構成（表示色（線色）の相違によって表示態様を異ならせる構成の他の例）を採用することもできる。
【００５１】
また、この測定結果表示装置１では、２つ以上の複数のフレーム１１を指定してグリッド表示１２を表示させることが可能となっている。具体的には、一例として、上記のフレーム１１ｆに加えて、測定処理の開始時点から７秒後に生成された測定データＤ２に基づくグラフＧｂが表示されているフレーム１１ｂを指定する（「いずれかの測定結果表示用フレームが指定されたとき」の他の一例）。この際に、制御部６は、図５に示すように、フレーム１１ｆに重ねて表示させているグリッド表示１２の表示を維持したまま、新たに指定されたフレーム１１ｂに重ねてグラフＧｂの数値読取り専用に２つ目のグリッド表示１２を表示させる。また、制御部６は、新たに表示させたグリッド表示１２に対応して、周波数やレベルとフレーム１１ｂ内の各座標との関係を示す文字情報を表示させる。
【００５２】
この際に、制御部６は、フレーム１１ｆに重ねて表示させるグリッド表示１２の塗り潰し色と、フレーム１１ｂに重ねて表示させるグリッド表示１２の塗り潰し色とを互いに相違させると共に、グラフＧｆの表示色と、グラフＧｂの表示色と、グラフＧａ，Ｇｃ〜Ｇｅ，Ｇｇ，Ｇｈの表示色とを互いに相違させて表示する。これにより、グラフＧａ，Ｇｃ〜Ｇｈやフレーム１１ｆに重なって表示されたグリッド表示１２が、グラフＧｂの読み取りの妨げとなる事態を招くことなく、フレーム１１ｂに重なって表示されたグリッド表示１２、およびグリッド表示１２に対応付けて表示される文字情報に基づいてグラフＧｂを確実かつ容易に読み取ることが可能となると共に、グラフＧａ〜Ｇｅ，Ｇｇ，Ｇｈやフレーム１１ｂに重なって表示されたグリッド表示１２が、グラフＧｆの読み取りの妨げとなる事態を招くことなく、フレーム１１ｆに重なって表示されたグリッド表示１２、およびグリッド表示１２に対応付けて表示される文字情報に基づいてグラフＧｆを確実かつ容易に読み取ることが可能となる。
【００５３】
このように、この測定結果表示装置１、および測定結果表示装置１による測定結果表示方法によれば、測定対象成分を矢印Ａ１の方向（第１方向）に対応させると共に測定対象成分についてのレベルを矢印Ａ１の方向と交差する矢印Ａ２の方向（第２方向）に対応させて各測定対象成分についての測定されたレベルをグラフＧａ〜Ｇｈによって表示する複数のスペクトル表示用フレーム（測定結果表示用フレーム）１１ａ〜１１ｈを矢印Ａ３の方向（第３方向）にずらして測定順に重ねて表示させると共に、いずれかのフレーム１１が指定されたときに、指定されたフレーム１１と同じ大きさのグリッド表示１２を指定されたフレーム１１に重ねて表示させることにより、測定順に重ねて表示させた各フレーム１１とは別個に、指定したフレーム１１のグラフＧをグリッド表示と共に表示画面内の別の表示部位に表示させる構成および方法とは異なり、測定順に重ねて表示させた各フレーム１１から視線を大きく移動させることなく、指定したフレーム１１に重なって表示されるグリッド表示１２に基づいて、指定したフレーム１１のグラフＧを読み取ることができるため、不慣れな利用者であっても、グラフＧによって示されたレベルを確実かつ容易に読み取ることができる。
【００５４】
また、この測定結果表示装置１、および測定結果表示装置１による測定結果表示方法によれば、指定されたフレーム１１のグラフＧと、指定されたフレーム１１を除くフレーム１１のグラフＧとを区別可能に表示態様を互いに相違させて（一例として、表示色を互いに相違させて）表示させることにより、指定したフレーム１１のグラフＧの特定が容易となる分だけ、そのグラフＧによって示されたレベルを一層確実かつ容易に読み取ることができる。
【００５５】
さらに、この測定結果表示装置１、および測定結果表示装置１による測定結果表示方法によれば、各フレーム１１の矢印Ａ３の方向（第３方向）における位置を維持しつつ、指定されたフレーム１１を除くフレーム１１のグラフＧの上に指定されたフレーム１１のグラフＧを重ねて表示させることにより、指定したフレーム１１のグラフＧの特定が一層容易となる分だけ、そのグラフＧによって示されたレベルをさらに確実かつ容易に読み取ることができる。
【００５６】
また、この測定結果表示装置１、および測定結果表示装置１による測定結果表示方法によれば、複数のフレーム１１が指定されたときに、指定された各フレーム１１毎にグリッド表示１２をそれぞれ重ねて表示させることにより、指定した各フレーム１１に重なってそれぞれ表示されるグリッド表示１２に基づいて、指定した各フレーム１１の各グラフＧを読み取ることができるため、不慣れな利用者であっても、各グラフＧによって示されたレベルを確実かつ容易に読み取ることができる。
【００５７】
さらに、この測定結果表示装置１、および測定結果表示装置１による測定結果表示方法によれば、指定されたフレーム１１において測定対象成分を指定するためのスケール表示１３およびカーソル表示１４を指定されたフレーム１１に重ねて表示させると共に、指定されたフレーム１１のグラフＧにおけるスケール表示１３およびカーソル表示１４によって指定された測定対象成分についてのレベルを示す測定値表示１５を指定されたフレーム１１に重ねて表示させることにより、測定値表示１５を読み取るだけで、指定したフレーム１１のグラフＧにおける所望の周波数についてのレベルを確実かつ容易に特定することができる。
【００５８】
さらに、この測定結果表示装置１、および測定結果表示装置１による測定結果表示方法によれば、指定されたフレーム１１に関連付けられたコメント表示（文字情報）１６を指定されたフレーム１１に重ねて表示させることにより、例えば、指定したフレーム１１に関連付けられたコメントをそのフレーム１１の位置と別の表示部位に表示させるのと比較して、表示されたコメント表示１６が、いずれのフレーム１１に関するコメントであるかを確実かつ容易に特定することができる。
【００５９】
なお、上記の測定結果表示装置１では、グラフの一例として、グラフＧａ〜Ｇｈのような折れ線グラフを測定結果表示用画面１０内に表示させる構成を採用しているが、折れ線グラフに代えて各成分（周波数）毎のレベルを示す棒グラフを表示させるように表示用データを生成する構成を採用することもできる。また、上記の測定結果表示用画面１０では、「第１方向」を画面左右方向（矢印Ａ１の方向）とし、「第２方向」を画面上下方向（矢印Ａ２の方向）とし、「第３方向」を左下がり方向（矢印Ａ３の方向）として各フレーム１１を表示しているが、「第１方向」、「第２方向」および「第３方向」は、上記の例示に限定されるものではない。さらに、表示部５を備えて表示用データに基づく測定結果表示用画面１０を表示可能に構成された測定結果表示装置１を例に挙げて説明したが、表示用データを生成する装置（表示制御装置）と、表示用データに基づいて測定結果表示用画面１０を表示する装置（表示部）とを別個独立させて測定結果表示装置を構成することもできる。
【符号の説明】
【００６０】
１  測定結果表示装置
４  操作部
５  表示部
６  制御部
１０  測定結果表示用画面
１１ａ〜１１ｈ  スペクトル表示用フレーム
１２  グリッド表示
１３  スケール表示
１４  カーソル表示
１５  測定値表示
１６  コメント表示
Ｇａ〜Ｇｈ  グラフ
Ｓ１  操作信号
【図１】
0005415179.tif 000002
【図２】
0005415179.tif 000003
【図３】
0005415179.tif 000004
【図４】
0005415179.tif 000005
【図５】
0005415179.tif 000006
【図６】
0005415179.tif 000007